(57)【要約】      （修正有）【課題】製造コストを抑え、シンクでの洗浄作業の作業性を向上させる流し台を提供する。【解決手段】流し台６０は、流し台本体１１と、流し台本体１１の上面部２０から下方へ凹むシンク１２と、送水ホース１を保持可能に形成され、流し台本体１１のうちシンク１２の開口１２ａの縁部２４に配置されて流し台本体１１に支持されるホースホルダー７０と、を備え、ホースホルダー７０は、送水ホース１を着脱可能である。【選択図】図５
0003232931.tif 000002
【実用新案登録請求の範囲】
【請求項１】
流し台本体と、
前記流し台本体の上面部から下方へ凹むシンクと、
送水ホースを保持可能に形成され、前記流し台本体のうち前記シンクの開口の縁部に配置されて前記流し台本体に支持されるホースホルダーと、を備え、
前記ホースホルダーは、前記送水ホースを着脱可能である、流し台。
【請求項２】
流し台本体と、
前記流し台本体の上面部から下方へ凹むシンクと、
送水ホースの先端部に取り付けられるノズルを保持可能に形成され、前記流し台本体のうち前記シンクの開口の縁部に配置されて前記流し台本体に支持されるノズルホルダーと、を備え、
前記ノズルホルダーは、前記ノズルを着脱可能である、流し台。
【請求項３】
流し台本体と、
前記流し台本体の上面部から下方へ凹むシンクと、
送水ホースを保持可能に形成されるホース保持部と、前記送水ホースの先端部に取り付けられるノズルを保持可能に形成されるノズル保持部とを有し、前記流し台本体のうち前記シンクの開口の縁部に配置されて前記流し台本体に支持されるホルダーと、を備え、
前記ホルダーの前記ホース保持部は、前記送水ホースを着脱可能であり、
前記ホルダーの前記ノズル保持部は、前記ノズルを着脱可能である、流し台。
【考案の詳細な説明】
【技術分野】
【０００１】
本開示は、流し台に関する。
【背景技術】
【０００２】
特許文献１には、食料を調理するための器具及びレンジトップのモジュール式支持構造を備える調理用付属備品が記載されている。この調理用付属備品には、シンクの側に蛇口が取り付けられている。
【先行技術文献】
【特許文献】
【０００３】
【特許文献１】特表２００７−５０１０２６号公報
【考案の概要】
【考案が解決しようとする課題】
【０００４】
ところで、持ち運び可能な簡易的な流し台を家の庭等で使用する際に、ポリタンクに水を入れて流し台まで持って行き、このポリタンクの水を使ってシンクで食材や食器などを洗う場合がある。この場合、水を出しながらの作業が難しく、洗浄作業が煩雑になる可能性がある。また、家の水道設備から流し台まで送水ホースを延ばし、送水ホースからの水を使って流し台のシンクで食材や食器などを洗う場合、送水ホースを押さえる必要があり、洗浄作業が煩雑になる可能性がある。
【０００５】
特許文献１に記載の調理用付属備品では、シンクの側に蛇口を設けているが、蛇口を設けると、製造コストが増大する可能性がある。
【０００６】
そこで、本開示は、製造コストを抑えることができ、シンクでの洗浄作業の作業性を向上させることが可能な流し台の提供を目的とする。
【課題を解決するための手段】
【０００７】
上記課題を解決するため、本考案の第１の態様の流し台は、流し台本体とシンクとホースホルダーとを備える。シンクは、流し台本体の上面部から下方へ凹む。ホースホルダーは、送水ホースを保持可能に形成され、流し台本体のうちシンクの開口の縁部に配置されて流し台本体に支持される。ホースホルダーは、送水ホースを着脱可能である。
【０００８】
本考案の第２の態様の流し台は、流し台本体とシンクとノズルホルダーとを備える。シンクは、流し台本体の上面部から下方へ凹む。ノズルホルダーは、送水ホースの先端部に取り付けられるノズルを保持可能に形成され、流し台本体のうちシンクの開口の縁部に配置されて流し台本体に支持される。ノズルホルダーは、ノズルを着脱可能である。
【０００９】
本考案の第３の態様の流し台は、流し台本体とシンクとホルダーとを備える。シンクは、流し台本体の上面部から下方へ凹む。ホルダーは、送水ホースを保持可能に形成されるホース保持部と、送水ホースの先端部に取り付けられるノズルを保持可能に形成されるノズル保持部とを有し、流し台本体のうちシンクの開口の縁部に配置されて流し台本体に支持される。ホルダーのホース保持部は、送水ホースを着脱可能である。ホルダーのノズル保持部は、ノズルを着脱可能である。
【考案の効果】
【００１０】
本開示によれば、製造コストを抑えることができ、シンクでの洗浄作業の作業性を向上させることができる。
【図面の簡単な説明】
【００１１】
【図１】本考案の第１実施形態に係る流し台の斜視図である。
【図２】図１の流し台本体の扉を開いた状態を示す説明図である。
【図３】本考案の第１実施形態に係る流し台の一体型ホルダーの説明図である。
【図４】本考案の第２実施形態に係る流し台の説明図である。
【図５】本考案の第３実施形態に係る流し台の説明図である。
【考案を実施するための形態】
【００１２】
以下、本開示に係る流し台を図面に基づいて説明する。なお、各図において、ＵＰは上方を、ＦＲは手前側をそれぞれ示す。また、以下の説明において、手前側、奥側、及び左右方向は、流し台１０に向かって扉１４ａ，１４ｂの前に起立した状態の使用者から視た手前側、奥側、及び左右方向を意味する。
【００１３】
図１は、本考案の第１実施形態に係る流し台１０の斜視図である。図２は、図１の流し台本体１１の扉１４ａ，１４ｂを開いた状態を示す説明図である。図３は、本実施形態に係る流し台１０の一体型ホルダー３０の説明図である。
【００１４】
図１に示すように、本実施形態に係る流し台１０は、持ち運び可能な簡易的な流し台１０であって、室内だけではなく、室外（屋外）でも使用可能な流し台１０である。例えば、流し台１０は、家の庭や建設などの作業現場等に設置されて使用される。この流し台１０では、家や作業現場等に設置された水道設備（以下、「家等の水道設備」という。）を利用して、食材や食器などを洗うことが可能である。具体的には、流し台１０は、家等の水道設備から延びる送水ホース１（図３参照）、又は送水ホース１の先端に取り付けられる散水ノズル（ノズル）２（図３参照）を好適に利用して、食材や食器などを洗うことが可能な流し台１０である。
【００１５】
流し台１０は、流し台本体１１と、シンク１２と、一体型ホルダー（ホルダー）３０とを備える。
【００１６】
図１及び図２に示すように、流し台本体１１は、シンク１２を支持し、内部に収納空間１３を区画する箱型の部材であって、持ち運び可能な大きさに形成される。流し台本体１１の下面側の角部には、４本の脚部材１９（図１には、３本の脚部材１９が図示されている。）が設けられる。４本の脚部材１９は、収納空間１３の下方を区画する流し台本体１１の底板１５よりも下方へ突出する。４本の脚部材１９の下端部には、高さ調節可能なアジャスター２２が取り付けられている。流し台本体１１は、収納空間１３を手前側に開放可能な左右１対の扉１４ａ，１４ｂを有する。左右の扉１４ａ，１４ｂは、左右両開き（観音開き）型の扉である。左右の扉１４ａ，１４ｂを閉止した状態では、左右の扉１４ａ，１４ｂは、マグネット２３によって流し台本体１１側へ保持される。収納空間１３には、上方のシンク１２からの排水を案内する排水ホース１６が配置されている。排水ホース１６の一端（上端）側は、シンク１２に接続される。流し台本体１１の底板１５には、排水ホース１６が挿通するホース挿通孔２５が形成される。排水ホース１６の他端（下端）側は、底板１５のホース挿通孔２５を挿通して、収納空間１３の外部（底板１５の下方）に配置される。収納空間１３の上下方向と交叉する方向を区画する側板１７（本実施形態では、右側の側板１７）の内面には、排水ホース１６を保持する保持部材１８が固定される。なお、４本の脚部材１９に代えて、或いは４本の脚部材１９のアジャスター２２に代えて、流し台１０を移動可能に支持するキャスター等を設けてもよい。
【００１７】
シンク１２は、流し台本体１１の上面部２０から下方へ凹む金属製の部材であって、食器や食品等を洗浄可能な空間２１（以下、「洗浄空間２１」という。）を区画する。シンク１２の洗浄空間２１の下方を区画する底板部（図示省略）には、排水ホース１６へ連通する排水口（図示省略）が設けられる。
【００１８】
図１〜図３に示すように、一体型ホルダー３０は、散水ノズル２及び送水ホース１を保持するための部材である。
【００１９】
散水ノズル２は、散水可能なヘッド２ａと、操作レバー２ｂとを有し、送水ホース１の端部１ａに接続される。散水ノズル２は、操作レバー２ｂを操作（例えば、把持操作）することによって、操作レバー２ｂの操作量に応じた水をヘッド２ａの先端から散水可能となっている。散水ノズル２のヘッド２ａは、水をシャワー状に拡散させて散水する散水状態と、水を拡散させることなくストレートに放水する通常状態とに切替可能である。操作レバー２ｂは、水を連続して送水可能な連続開状態に保持可能なストッパー手段を備えている。例えば、ストッパー手段は、操作レバー２ｂを把持して大きく（深く）移動させることによって連続開状態に保持し、この状態からもう一度、操作レバー２ｂを把持して大きく（深く）移動させることによって連続開状態を解除する。なお、本実施形態では、送水ホース１に対して、散水可能な散水ノズル２を取り付けたが、ノズルはこれに限定されるものではなく、例えば、水を拡散させることなく単にストレートに放水するノズルを取り付けてもよい。
【００２０】
一体型ホルダー３０は、散水ノズル２及び送水ホース１を保持する部材であって、流し台本体１１の上面部２０に配置される支持部３１と、散水ノズル２のヘッド２ａ側を支持するノズル保持部３２と、散水ノズル２に接続される送水ホース１側を支持するホース保持部３３とを有する。すなわち、一体型ホルダー３０は、ノズル保持部３２とホース保持部３３とを一体的に有する一体型ホルダー３０である。本実施形態では、一体型ホルダー３０は、金属製の棒状部材を曲折して形成される。
【００２１】
一体型ホルダー３０の支持部３１は、流し台本体１１の上面部２０のうちシンク１２の開口１２ａの周囲の縁部２４（本実施形態では、流し台本体１１の上面部２０の右奥側の角部）の上方に配置され、流し台本体１１に対して固定される。なお、本実施形態では、支持部３１を流し台本体１１に対して固定したが、これに限定されるものではなく、支持部３１を流し台本体１１に対して取り外し可能に取り付けてもよい。また、支持部３１の配置位置は、流し台本体１１の上面部２０の右奥側の角部に限定されるものではなく、シンク１２の開口１２ａの周囲の縁部２４に配置されていればよい。
【００２２】
一体型ホルダー３０のノズル保持部３２は、支持部３１のうちシンク１２側の端部から起立する１対の第１アーム部３４と、１対の第１アーム部３４のうち先端（上端）よりも下方の位置同士を連結する第１連結部３５とを有する。１対の第１アーム部３４は、支持部３１からシンク１２の内側の上方へ向かって斜め方向に延びる。１対の第１アーム部３４の先端部３４ａ（上端部）は、散水ノズル２のヘッド２ａの両側で起立し、上下方向と交叉する方向への散水ノズル２のヘッド２ａの移動を規制する。第１連結部３５は、上下方向と交叉する方向に延び、散水ノズル２のヘッド２ａを下方から支持する。１対の第１アーム部３４の先端部３４ａ間の距離は、散水ノズル２のヘッド２ａの先端側の径よりも狭く設定される。ノズル保持部３２は、散水ノズル２のヘッド２ａの基端側を上下方向と交叉する方向の両側及び下方から支持することによって、散水ノズル２のヘッド２ａを保持する。また、散水ノズル２を１対の第１アーム部３４の先端部３４ａの間から上方へ移動させることによって、散水ノズル２をノズル保持部３２から取り外し可能である。
【００２３】
一体型ホルダー３０のホース保持部３３は、支持部３１のうちシンク１２とは反対側（以下、「外部側」という。）の端部から起立する１対の第２アーム部３６と、１対の第２アーム部３６のうち先端（上端）よりも下方の位置同士を連結する第２連結部３７とを有する。１対の第２アーム部３６は、支持部３１から外部側の上方へ向かって斜め方向に延びる。１対の第２アーム部３６の先端部３６ａ（上端部）は、送水ホース１のうち散水ノズル２へ接続される端部１ａの両側で起立し、上下方向と交叉する方向への送水ホース１の移動を規制する。第２連結部３７は、上下方向と交叉する方向に延び、送水ホース１の端部１ａを下方から支持する。ホース保持部３３は、送水ホース１の端部１ａを上下方向と交叉する方向の両側及び下方から支持することによって、送水ホース１を保持する。また、送水ホース１を１対の第２アーム部３６の先端部３６ａの間から上方へ移動させることによって、送水ホース１をホース保持部３３から取り外し可能である。
【００２４】
流し台１０のシンク１２で食材や食器などを洗う場合には、家等の水道設備から送水ホース１を延ばし、送水ホース１の先端の散水ノズル２を流し台１０の一体型ホルダー３０に係止する。具体的には、散水ノズル２のヘッド２ａの基端側をノズル保持部３２の１対の第１アーム部３４の先端部３４ａの間に上方から挿入し、第１連結部３５に上方から載置する。ノズル保持部３２は、散水ノズル２のヘッド２ａを係止する。また、散水ノズル２に接続される送水ホース１の端部１ａをホース保持部３３の１対の第２アーム部３６の先端部３６ａの間に上方から挿入し、第２連結部３７に上方から載置する。これにより、散水ノズル２及び送水ホース１は、一体型ホルダー３０に保持される。散水ノズル２及び送水ホース１を一体型ホルダー３０に取り付けた状態では、散水ノズル２のヘッド２ａは、シンク１２の洗浄空間２１の上方に位置し、散水ノズル２の操作レバー２ｂは、ノズル保持部３２とホース保持部３３との間に位置する。
【００２５】
上記のように構成された流し台１０では、散水ノズル２及び送水ホース１を一体型ホルダー３０によって保持可能であるので、家等の水道設備から送水ホース１を延ばし、散水ノズル２及び送水ホース１を一体型ホルダー３０に係止することによって、散水ノズル２から手を離しても、散水ノズル２及び送水ホース１を保持することができる。このため、使用者は、散水ノズル２及び送水ホース１を一体型ホルダー３０によって保持した状態で、散水ノズル２の操作レバー２ｂを操作して連続開状態にするなどして、水を出したまま両手を使うことができる。
【００２６】
また、一体型ホルダー３０は、ノズル保持部３２とホース保持部３３とを一体的に有する一体型ホルダー３０であるので、家等の水道設備から延びる送水ホース１の先端に散水ノズル２が取付けられていない場合であっても、ホース保持部３３によって送水ホース１を保持することができる。このため、使用者は、送水ホース１の先端に散水ノズル２が取付けられていない場合であっても、送水ホース１を一体型ホルダー３０のホース保持部３３によって保持した状態で、家等の水道設備の蛇口ハンドル等を回して開栓するなどして、水を出したまま両手を使うことができる。
【００２７】
また、散水ノズル２及び送水ホース１を一体型ホルダー３０によって保持した状態では、散水ノズル２のヘッド２ａは、シンク１２の洗浄空間２１の上方に位置するので、散水ノズル２からの水は、好適にシンク１２内の洗浄空間２１へ放水される。
【００２８】
このように、使用者は、水を出したまま両手を使用してシンク１２で食材や食器などを洗うことができるので、洗浄作業の作業性を向上させることができる。
【００２９】
また、一体型ホルダー３０は、散水ノズル２及び送水ホース１を保持するための部品であるので、簡易な構造にすることができ、製造コストを抑えることができる。例えば、シンク１２の近傍に水道の蛇口設備を設ける場合とは異なり、本開示に係る流し台１０では製造コストを抑えることができる。
【００３０】
したがって、本実施形態によれば、製造コストを抑えることができ、シンク１２での洗浄作業の作業性を向上させることができる。
【００３１】
また、流し台本体１１は、内部に収納空間１３を区画するので、収納空間１３に物を収納することができる。
【００３２】
また、流し台本体１１の底板１５にホース挿通孔を設け、排水ホース１６の他端側を収納空間１３の外部（底板１５の下方）に配置しているので、シンク１２からの排水を収納空間１３の外部に排出することができる。
【００３３】
また、流し台本体１１の側板１７（本実施形態では、右側の側板１７）には、排水ホース１６を保持する保持部材１８が固定されるので、収納空間１３内の排水ホース１６を収納空間１３の端に配置することができる。このため、収納空間１３を広く有効に活用することができる。
【００３４】
なお、本実施形態では、流し台本体１１を箱型としたが、流し台本体１１の形状はこれに限定されるものではなく、様々な形状を適用することができる。
【００３５】
また、本実施形態では、一体型ホルダー３０を、金属製の棒状部材を曲折させて形成したが、これに限定されるものではなく、散水ノズル２及び送水ホース１を保持可能であれば、他の様々な部材（例えば樹脂等）で形成することができる。
【００３６】
また、本実施形態では、一体型ホルダー３０のノズル保持部３２を、１対の第１アーム部３４と第１連結部３５とによって構成したが、これに限定されるものではなく、散水ノズル２を保持可能であれば、他の様々な構成を適用することができる。
【００３７】
また、本実施形態では、一体型ホルダー３０のホース保持部３３を、１対の第２アーム部３６と第２連結部３７とによって構成したが、これに限定されるものではなく、排水ホース１６を保持可能であれば、他の様々な構成を適用することができる。
【００３８】
次に、本考案の第２実施形態を図面に基づいて説明する。本実施形態の流し台４０は、一体型ホルダー３０に代えてノズルホルダー５０を備える点で第１実施形態と相違する。なお、第１実施形態と同様の構成については同一の符号を付してその説明を省略する。
【００３９】
本実施形態に係る流し台４０は、持ち運び可能な簡易的な流し台４０であって、室内だけではなく、室外（屋外）でも使用可能な流し台４０である。本実施形態に係る流し台４０は、家等の水道設備から延びる送水ホース１の先端に取り付けられる散水ノズル２を好適に利用して、食材や食器などを洗うことが可能である。
【００４０】
図４は、本実施形態に係る流し台４０の説明図である。
【００４１】
図４に示すように、流し台４０は、流し台本体１１と、シンク１２と、ノズルホルダー５０とを備える。
【００４２】
ノズルホルダー５０は、散水ノズル２を保持する部材であって、流し台本体１１の上面部２０に配置される支持部５１と、散水ノズル２のヘッド２ａを支持するノズル保持部５２とを有する。すなわち、ノズルホルダー５０は、上記第１実施形態の一体型ホルダー３０とは異なり、排水ホース１６を保持することなく、散水ノズル２を保持するノズルホルダー５０である。本実施形態では、ノズルホルダー５０は、金属製の棒状部材を曲折させて形成される。
【００４３】
ノズルホルダー５０の支持部５１は、流し台本体１１の上面部２０のうちシンク１２の開口１２ａの周囲の縁部２４（本実施形態では、流し台本体１１の上面部２０の右奥側の角部）の上方に配置され、流し台本体１１に対して固定される。なお、本実施形態では、支持部５１を流し台本体１１に対して固定したが、これに限定されるものではなく、支持部５１を流し台本体１１に対して取り外し可能に取り付けてもよい。また、支持部５１の配置位置は、流し台本体１１の上面部２０の右奥側の角部に限定されるものではなく、シンク１２の開口１２ａの周囲の縁部２４に配置されていればよい。
【００４４】
ノズルホルダー５０のノズル保持部５２は、支持部５１のうちシンク１２側の端部から起立する１対のアーム部５３と、１対のアーム部５３のうち先端（上端）よりも下方の位置同士を連結する連結部５４とを有する。１対のアーム部５３は、支持部５１からシンク１２の内側の上方へ向かって斜め方向に延びる。１対のアーム部５３の先端部５３ａ（上端部）は、散水ノズル２のヘッド２ａの両側で起立し、上下方向と交叉する方向への散水ノズル２のヘッド２ａの移動を規制する。連結部５４は、上下方向と交叉する方向に延び、散水ノズル２のヘッド２ａを下方から支持する。１対のアーム部５３の先端部５３ａ間の距離は、散水ノズル２のヘッド２ａの先端側の径よりも狭く設定される。ノズル保持部５２は、散水ノズル２のヘッド２ａの基端側を上下方向と交叉する方向の両側及び下方から支持することによって、散水ノズル２のヘッド２ａを保持する。また、散水ノズル２を１対のアーム部５３の先端部５３ａの間から上方へ移動させることによって、散水ノズル２をノズル保持部５２から取り外し可能である。
【００４５】
上記のように構成された流し台４０では、散水ノズル２をノズルホルダー５０によって保持可能であるので、家等の水道設備から送水ホース１を延ばし、散水ノズル２をノズルホルダー５０に係止することによって、散水ノズル２から手を離すことができる。このため、使用者は、散水ノズル２をノズルホルダー５０によって保持した状態で、散水ノズル２の操作レバー２ｂを操作して連続開状態にするなどして、水を出したまま両手を使うことができる。
【００４６】
また、散水ノズル２をノズルホルダー５０によって保持した状態では、散水ノズル２のヘッド２ａは、シンク１２の開口１２ａの上方に位置するので、散水ノズル２からの水は、好適にシンク１２内へ放水される。
【００４７】
このように、使用者は、水を出したまま両手を使用してシンク１２で食材や食器などを洗うことができるので、洗浄作業の作業性を向上させることができる。
【００４８】
また、ノズルホルダー５０は、散水ノズル２を保持するための部品であるので、簡易な構造にすることができ、製造コストを抑えることができる。例えば、シンク１２の近傍に水道の蛇口設備を設ける場合とは異なり、本開示に係る流し台４０では製造コストを抑えることができる。また、送水ホース１を保持するホース保持部を設ける場合とは異なり、本開示に係る流し台４０では製造コストを抑えることができる。
【００４９】
したがって、本実施形態によれば、製造コストを抑えることができ、シンク１２での洗浄作業の作業性を向上させることができる。
【００５０】
なお、本実施形態では、ノズルホルダー５０を、金属製の棒状部材を曲折させて形成したが、これに限定されるものではなく、散水ノズル２を保持可能であれば、他の様々な部材（例えば樹脂等）で形成することができる。また、ノズルホルダー５０のノズル保持部５２の構成も、散水ノズル２を保持可能であれば、他の様々な構成を適用することができる。
【００５１】
次に、本考案の第３実施形態を図面に基づいて説明する。本実施形態の流し台６０は、一体型ホルダー３０に代えてホースホルダー７０を備える点で第１実施形態と相違する。なお、第１実施形態と同様の構成については同一の符号を付してその説明を省略する。
【００５２】
本実施形態に係る流し台６０は、持ち運び可能な簡易的な流し台６０であって、室内だけではなく、室外（屋外）でも使用可能な流し台６０である。本実施形態に係る流し台６０は、上記第１実施形態及び上記第２実施形態とは異なり、家等の水道設備の蛇口から延びる送水ホース１を好適に利用して、食材や食器などを洗うことが可能な流し台６０である。
【００５３】
図５は、本実施形態に係る流し台６０の説明図である。
【００５４】
図５に示すように、流し台６０は、流し台本体１１と、シンク１２と、ホースホルダー７０とを備える。
【００５５】
ホースホルダー７０は、送水ホース１を保持する部材であって、流し台本体１１の上面部２０に取り付けられる取付部７１と、送水ホース１を挟持可能な１対のホース保持部７２ａ，７２ｂを有する。すなわち、ホースホルダー７０は、上記第１実施形態の一体型ホルダー３０とは異なり、散水ノズル２を保持することなく、排水ホース１６を保持するホースホルダー７０である。本実施形態では、ホースホルダー７０は、金属製の板状部材を曲折させて形成される。
【００５６】
ホースホルダー７０の取付部７１は、流し台本体１１の上面部２０のうちシンク１２の開口１２ａの周囲の縁部２４（本実施形態では、流し台本体１１の上面部２０の右奥側の角部）の上方に配置され、流し台本体１１に対して固定される。なお、本実施形態では、取付部７１を流し台本体１１に対して固定したが、これに限定されるものではなく、取付部７１を流し台本体１１に対して取り外し可能に取り付けてもよい。また、取付部７１の配置位置は、流し台本体１１の上面部２０の右奥側の角部に限定されるものではなく、シンク１２の開口１２ａの周囲の縁部２４に配置されていればよい。
【００５７】
ホースホルダー７０の１対のホース保持部７２ａ，７２ｂは、送水ホース１を保持可能な部材であって、取付部７１のうち送水ホース１の所望の延設方向（図５の２点鎖線で示す送水ホース１が延びている方向）と交叉する方向の両側から起立する。１対のホース保持部７２ａ，７２ｂは、送水ホース１の外周面に沿って延びるように円弧状に湾曲している。１対のホース保持部７２ａ，７２ｂは、送水ホース１を挿通可能なホース挿通空間７３を区画する。１対のホース保持部７２ａ，７２ｂの上端側は、互いに離間している。１対のホース保持部７２ａ，７２ｂの上端側を互いに離間する方向へ拡げることによって、送水ホース１を上方からホース挿通空間７３に配置することができる。送水ホース１をホース挿通空間７３に配置して上記所望の延設方向に挿通させた状態で、１対のホース保持部７２ａ，７２ｂは、送水ホース１を挟持する。
【００５８】
上記のように構成された流し台６０では、送水ホース１をホースホルダー７０によって保持可能であるので、家等の水道設備から送水ホース１を延ばし、送水ホース１をホースホルダー７０に係止することによって、送水ホース１から手を離すことができる。このため、使用者は、送水ホース１をホースホルダー７０によって保持した状態で、家等の水道設備の蛇口ハンドル等を回して開栓するなどして、水を出したまま両手を使うことができる。
【００５９】
また、ホースホルダー７０の１対のホース保持部７２ａ，７２ｂは、送水ホース１を挟持するので、送水ホース１の先端の位置を適切に設定することができる。このため、送水ホース１の先端の位置をシンク１２の上方に設定することができるので、送水ホース１からの水を、好適にシンク１２内へ放水することができる。
【００６０】
このように、使用者は、水を出したまま両手を使用してシンク１２で食材や食器などを洗うことができるので、洗浄作業の作業性を向上させることができる。
【００６１】
また、ホースホルダー７０は、送水ホース１を保持するための部品であるので、簡易な構造にすることができ、製造コストを抑えることができる。例えば、シンク１２の近傍に水道の蛇口設備を設ける場合とは異なり、本開示に係る流し台６０では製造コストを抑えることができる。
【００６２】
したがって、本実施形態によれば、製造コストを抑えることができ、シンク１２での洗浄作業の作業性を向上させることができる。
【００６３】
なお、本実施形態では、ホースホルダー７０を、金属製の板状部材を曲折させて形成したが、これに限定されるものではなく、送水ホース１を保持可能であれば、他の様々な部材（例えば樹脂等）で形成することができる。また、ホースホルダー７０のホース保持部７２ａ，７２ｂの構成も、送水ホース１を保持可能であれば、他の様々な構成を適用することができる。
【００６４】
以上、本考案について、上記実施形態に基づいて説明を行ったが、本考案は上記実施形態の内容に限定されるものではなく、当然に本考案を逸脱しない範囲で適宜変更が可能である。すなわち、この実施形態に基づいて当業者等によりなされる他の実施形態、実施例および運用技術等は全て本考案の範疇に含まれることは勿論である。
【符号の説明】
【００６５】
１：送水ホース
２：散水ノズル（ノズル）
１０，４０，６０：流し台
１１：流し台本体
１２：シンク
３０：一体型ホルダー（ホルダー）
３２：ノズル保持部
３３：ホース保持部
５０：ノズルホルダー
７０：ホースホルダー
【図１】
0003232931.tif 000003
【図２】
0003232931.tif 000004
【図３】
0003232931.tif 000005
【図４】
0003232931.tif 000006
【図５】
0003232931.tif 000007